(57)【要約】【課題】熨斗袋において、お金が入っていることを直接確認することなく、熨斗袋がお金を入れたものであるか否かを見分けられるようにする【解決手段】熨斗袋の外側に容易に取り除ける入金確認部材を取り付ける【選択図】  図１
2008024369.tif 000002
【特許請求の範囲】
【請求項１】
外側に容易に取り除ける入金確認部材を取り付けた熨斗袋。
【請求項２】
入金確認部材が剥離容易な粘着部を備えた入金確認シールである請求項１に記載の熨斗袋。
【請求項３】
入金確認部材が水引に取り外し容易に取り付けた入金確認短冊である請求項１に記載の熨斗袋。
【請求項４】
入金確認部材が外側に取外し可能に巻き付けた入金確認帯封である請求項１に記載の熨斗袋。
【発明の詳細な説明】
【技術分野】
【０００１】
本発明は、お金を入れた熨斗袋と入れていない熨斗袋とを見分けられるようにした熨斗袋に関するものである。
【背景技術】
【０００２】
熨斗袋は、金封、水引封筒などとも称せられている。
従来、お金を熨斗袋に入れたか否かが確認できる熨斗袋としては、特許文献１に開示のものが知られている。
この熨斗袋は、慶弔用熨斗袋の一部分に丸型のくり貫と三日月型のくり貫を一対としたくり貫を設け、差し出す前にこのくり貫穴を見ることによってお金が中に入っているか否かを目で直接確認し、お金が入っているか否かを見分けられるようにしたものである。
【０００３】
しかしながら、そもそも熨斗袋にお金を入れるという行為は、お金を人目にさらす事なく慎ましやかに厳かに、そして礼をもって心から相手に渡すという最も大切な作法を遂行するための行為であり、その熨斗袋に開けられたお金の覗き穴は、どのような形状であってもそれだけでこの最も大切な作法を否定することにもなりかねない。  
したがって、穴を開けた熨斗袋を儀礼的色彩の強い場合に使用することに不都合があった。
【特許文献１】特開平１０-３０５８４４号公報
【発明の開示】
【発明が解決しようとする課題】
【０００４】
本発明は、熨斗袋において、お金が入っていることを直接確認することなく、熨斗袋がお金を入れたものであるか否かを見分けられるようにすることを課題としたものである。
【課題を解決するための手段】
【０００５】
この技術的課題を解決するための第一の技術的手段は、外側に容易に取り除ける入金確認部材を取り付けたことである。
熨斗袋の外側に取り付けられた入金確認部材は、容易に取り除けるため、熨斗袋にお金を入れる際にこの部材を取り除くことによって、入金済の熨斗袋と未入金の熨斗袋との外観を相違させることができる。
【０００６】
第二の技術的手段は、入金確認部材を入金確認シールで構成し、そのシールに剥離が容易な粘着部を備えさせたことである。
入金確認シールは、その粘着部が剥離容易なものであるため、熨斗袋の表面や裏面に対する着脱が容易となり、剥離しても熨斗袋に損傷を与えることはなく、入金済の熨斗袋を他の熨斗袋との外観を相違させることができる。
【０００７】
第三の技術的手段は、入金確認部材を入金確認短冊で構成し、これを熨斗袋に巻き付けられている水引に取り外し容易に取り付けたことである。
この技術的手段においても、熨斗袋にお金を入れる際に短冊を取り外すことによって、入金済の熨斗袋を他の熨斗袋との外観を相違させることができる。
【０００８】
第四の技術的手段は、入金確認部材を入金確認帯封で構成し、これを熨斗袋の外側にとして巻き付けたことである。
熨斗袋にお金を入れる際に帯封を取り外すことになるから、上記と同様の作用を奏することができる。
【発明の効果】
【０００９】
お金が入っていることを直接確認することなく、熨斗袋にお金を入れたか否かを見分けられる結果、誤って未入金の熨斗袋を差し出したり手渡したりする間違いが生じない利点がある。
また、入金した場合に入金確認部材を取り除くようにしているため、確認部材を除去した状態の熨斗袋をそのまま差し出したり手渡したりできる利点もある。
【実施例１】
【００１０】
図１は熨斗袋１に入金確認シール２を貼り付けた熨斗袋の正面図である。これを使用する時には熨斗袋１にお金を入れる際にこの入金確認シール２を剥がすることになる。
この実施例は、熨斗袋表面の左上部の位置に、「入金後はがす」旨を表示した入金確認シール２を貼った例を示している。この位置に貼ってあれば熨斗袋の体裁もよくまたこの入金確認シール２の確認がしやすい。またこの入金確認シール２の裏面の粘着部は弱粘着性のため、剥がした後に表面を傷めることはない。
【００１１】
氏名書き込み部（表面中央下部）にシール２を貼っておくと、お金を入れて氏名を書き込む際に確実にシール２を剥がすことになる。
また、袋１において重合している内側の紙と外側の紙との合わせ目にシール２を貼着しておくと、これを剥がさなければ入金できないため、入金済の熨斗袋であるかどうかを確実に見分けることができる。
なお、符号３は水引である。
【実施例２】
【００１２】
図２は水引３に入金確認短冊４をとりつけた熨斗袋の斜視図である。
この熨斗袋を使用する時には熨斗袋１にお金を入れた後にこの短冊４を取り外せばよい。本実施例のように短冊４を水引３の左側に取りつけておけばよく目につき確認がしやすい。
【００１３】
図３は、短冊４を水引３に取りつけた裏面側から見た拡大斜視図である。
短冊４の水引３への取り付けは、本図のように短冊４を水引３に巻き込んで、短冊４の裏面端部についている粘着部５を対面する短冊４に接着させればよい。
短冊４の粘着部５を剥離容易な弱粘着性にしておくと、短冊４は水引３から簡単に取り外せるため鋏等が不要になり要領がよい。
なお、この短冊の一部、例えば図２に示した短冊４の下部を、袋１において重合している内側の紙や、これと外側の紙との合わせ目に剥離容易に貼着しておくと、前記実施例１と同様に、これを剥がさなければ入金できないことになる。
【実施例３】
【００１４】
図４は熨斗袋１に入金確認帯を帯封６として横向きに巻き付け取り付けた斜視図である。
帯封６は熨斗袋１にお金を入れる時には必ず外さなくてはならないため、帯封６が外されているか否かは熨斗袋にお金を入れたものであるかいなかを見分ける確実な決め手になる。
図４は熨斗袋１に入金確認帯６を帯封として横向きに巻き付け取り付けたものであるが縦向きに取り付けてもよい。
【００１５】
図５は、帯封６を熨斗袋１に巻き付け取り付けた熨斗袋１の裏面側から見た斜視図である。帯封６の両端部同志は粘着部を介して貼り付けてある。したがって、入金確認帯６と熨斗袋１とは接着していないため入金確認帯６は熨斗袋１のどの位置にも移動させることができる。
【実施例４】
【００１６】
図６は入金確認帯６を熨斗袋１に巻き付け取り付けた熨斗袋１の裏面から見た斜視図である。入金確認帯６の両端部７、７は粘着剤によって熨斗袋１の裏面側に貼り付けて取り付けている。この粘着剤は弱粘着性になっておりこれをはがす時は熨斗袋に剥がし跡を残さない。
【００１７】
上記実施例の入金確認シール２、入金確認短冊４及び入金確認帯６の色や形や大きさについては特に定はない。またそれらに記入する文字や記号それに図案についても、実施例に示したものに限定されることはない。
【００１８】
また上記実施例の入金確認シール２や入金確認短冊４それに入金確認帯６はそれぞれのどの位置に何枚貼っても何枚取り付けてもよい。
【図面の簡単な説明】
【００１９】
【図１】入金確認シールを取り付けた熨斗袋の正面図
【図２】入金確認短冊を取り付けた熨斗袋の斜視図
【図３】図２の熨斗袋を裏面から見た要部拡大斜視図
【図４】入金確認帯を取り付けた熨斗袋の斜視図
【図５】図４の熨斗袋を裏側から見た斜視図
【図６】別の入金確認帯を取り付けた熨斗袋を裏側から見た斜視図
【符号の説明】
【００２０】
１熨斗袋、  ２入金確認シール、  ３水引、  ４入金確認短冊、  ５入金確認短冊の接着部、  ６入金確認帯
【図１】
2008024369.tif 000003
【図２】
2008024369.tif 000004
【図３】
2008024369.tif 000005
【図４】
2008024369.tif 000006
【図５】
2008024369.tif 000007
【図６】
2008024369.tif 000008